(57)【要約】【課題】配送時や陳列時の強度や耐久性を維持しつつも、購入者が、手作業で簡単かつストレスなく開封できる包装シートを提供する。【解決手段】本発明の包装シートは、物品を包装するフィルム状の包装シートであって、第１内径を有する複数の第１孔と、第１内径より小さな第２内径を有する複数の第２孔と、を備え、第１孔および前記第２孔は、前記包装シートのある形成線に沿って混在して設けられる。【選択図】図２
2015229504.tif 000002
【特許請求の範囲】
【請求項１】
物品を包装するフィルム状の包装シートであって、
第１内径を有する複数の第１孔と、
前記第１内径より小さな第２内径を有する複数の第２孔と、を備え、
前記第１孔および前記第２孔は、前記包装シートのある形成線に沿って混在して設けられる、包装シート。
【請求項２】
前記第１孔および前記第２孔の少なくとも一方は、略円形もしくは略楕円形である、請求項１記載の包装シート。
【請求項３】
前記第１内径および前記内径は、１０倍以上の差を有する、請求項１または２記載の包装シート。
【請求項４】
前記形成線において、前記第１孔と前記第２孔とが、交互に並ぶ、請求項１から３のいずれか記載の包装シート。
【請求項５】
前記形成線は、前記包装シートにおいて２次元的に複数設けられる、請求項１から４のいずれか記載の包装シート。
【請求項６】
前記複数の形成線は、略並列である、請求項５記載の包装シート。
【請求項７】
前記複数の形成線は、前記物品において面積の広い面に対応する面に設けられる、請求項５または６記載の包装シート。
【請求項８】
前記複数の形成線同士で対応させる場合には、前記第１孔と前記第２孔との位置が、異なる、請求項５から７のいずれか記載の包装シート。
【請求項９】
前記形成線において隣接する前記第１孔同士の間に、複数の第２孔が配置される、請求項１から８のいずれか記載の包装シート。
【請求項１０】
前記第１孔および前記第２孔は、熱収縮前における長さの異なる切れ込みが、熱収縮によって形成される、請求項１から９のいずれか記載の包装シート。
【請求項１１】
前記包装シートに力が加わると、前記第２孔が裂け、前記第２孔が裂けることによる裂け目が、第１孔に接続して、第１孔による開口が広がる、請求項１から１０のいずれか記載の包装シート。
【発明の詳細な説明】
【技術分野】
【０００１】
本発明は、書籍、商品、商品を入れた箱などの種々の物品をカバーする包装シートに関する。
【背景技術】
【０００２】
書籍や雑誌のような商品は、配送段階や販売段階での商品保護のために、樹脂やビニールなどのフィルム素材で形成された包装シートで覆われることが多い。あるいは、食品、アプリケーションソフトウェア、電化製品、文房具、日用品、調味料など、箱に入った商品も、配送段階や販売段階での保護のために、箱の外側が、同様のフィルム素材で形成された包装シートで覆われることが多い。
【０００３】
この包装シートは、商品の保護であるとともに、例えば、配送段階や販売段階での商品へのいたずらや不正行為を防止する目的でも使用される。
【０００４】
すなわち、さまざまな商品に直接的、間接的（商品の箱の外側など）が、包装シートで覆われていることは、商品の配送、流通、販売、販売後の安心感などにおいて非常に重要である。すなわち、様々な商品の流通や販売において、包装シートは、重要な要素の一つであり、信頼性を確保・維持するための必須要素である。
【０００５】
例えば、商品が陳列されている際に、包装シートが破れていたり汚損していたりすると、購入者は何らかのいたずらがあったと考えたり、何らかの不具合のある商品ではないかと考えたりする。このような結果、購入者は、当該商品を購入しないこともありえる。さらには、購入者は、当該商品だけでなく、同じ種類の他の商品や、同一メーカーの他の商品の購入をためらうようになるかもしれない。
【０００６】
また、包装シートに破損がある商品を購入した購入者が、たまたま当該商品に不備を見つけた場合には、商品へのクレームがつけられてしまう可能性がある。当然ながら、包装シートが取り付けられていないむき出しの商品の場合には、商品が直接破損や汚損されてしまって、購入者は、購入をためらうことになる。もちろん、商品購入後の商品の破損などでも、購入者がクレームを販売者やメーカーにクレームをつけることもあり得る。
【０００７】
このように、商品の外部を覆う包装シートは、商品の流通、配送、販売、販売後の信頼維持など、様々な面で必須要素であり、多くの商品に備わっている。ここで、包装シートは、商品の外部にぴったりとくっつくように覆われることが多い。商品の保護をより高めるためでもあり、商品の流通や陳列での不要な体積を生じさせないようにするためである。
【０００８】
このため、包装シートは、配送や陳列の際に簡単に破損しない丈夫さや耐久性が求められる。一方で、購入者は、購入した商品を覆っている包装シートを破って商品の使用を開始したい。すなわち、購入者は、購入後においては、すぐにかつ簡単に包装シートを破ってしまいたいと考える。
【０００９】
ここで、包装シートは、樹脂やビニールなどの柔軟性と熱収縮性を有する素材で形成される。まず、商品の大きさに対して余裕のある大きさで形成された包装シート素材が、商品の外部に装着される。その後、包装シート素材に熱が加えられることで、包装シート素材が熱収縮する。この熱収縮によって、包装シート素材は、商品に密着して覆うようになり、包装シートとしての役割を果たすことができる。
【００１０】
上述のように、包装シートは耐久性や強度を必要とするために、購入者が購入後に包装シートを簡単に破ることが難しい問題を有している。包装シートを簡単に破ることが難しい場合には、購入者がカッターナイフやハサミなどを用いて、強引に包装シートを破いてしまう可能性もある。あるいは、爪でひっかくようにして強引に包装シートを破いてしまう可能性もある。このような強引な包装シートの開封は、包装されている商品を破損させたり汚損させたりする問題がある。商品が書籍や雑誌などの場合には、切れてしまったりすることで、商品価値を著しく下げてしまうことにもなりかねない。
【００１１】
このような状況で、配送や販売段階での強度や耐久性を維持しつつも、購入後には購入者が簡単に破って開封できる包装シートが求められている。
【００１２】
ここで、現状の包装シートの開封方式には、次のようなものがある。
【００１３】
（方式１：ミシン目）
包装シートにミシン目が入れられていることがある。購入者は、このミシン目に沿って包装シートを開封できる。
【００１４】
しかしながら、包装シートの製造工程および商品の包装工程の製造容易性と、開封の容易性とは逆比例の関係にある。開封を容易にするために、商品のある面の全体にわたってミシン目を入れる場合には、包装シート素材の製造および包装シート素材を熱収縮して包装する工程のいずれにおいても、作業性が悪い。作業数も多くなり、作業のための装置や機器も複雑となる問題がある。このため、包装シートおよび包装作業のコストが高くなってしまう問題を有する。
【００１５】
（方式２：ティアテープ）
包装シートのある方向に沿って、ティアテープが貼り付けされる方式もある。この場合には、購入者はティアテープをはがすことで、包装シートを開封できる。
【００１６】
しかしながら、ティアテープは、包装シートと異なる素材や色味を有しているので、商品全体の見栄えが悪くなる問題を有している。また、ティアテープをはがす最中に、ティアテープ自体が切れてしまって、開封ができないあるいは不十分となってしまう問題もある。さらには、ティアテープを包装シートに張り付けるための余分な製造工程が必要となり、包装工程のコストが増加する問題もある。
【００１７】
（方式３：タックシール）
例えば、カップめんの包装シートの底面に取り付けられているようなタックシールが用いられることもある。包装シートにあらかじめ切れ込みや開封部を設けておき、この切れ込みや開封部をタックシールで覆う。
【００１８】
購入者は、このタックシールをはがすことで、包装シートに設けられている切れ込みや開封部から包装シートを破って開封することができる。
【００１９】
しかしながら、タックシールがはがれにくかったり、完全にはがれなかったりすることで、切れ込みや開封部を十分に露出させることができないこともある。この場合には、包装シートを十分確実に開封してはがすことができない。
【００２０】
もちろん、他の方式同様に、余分な部材を必要とするので、製造コスト、包装コストが増加する問題もある。
【００２１】
（方式４：開封ノッチ）
開封ノッチは、包装シートの一部に、異なる素材の部分を張り合わせる方式である。張り合わせであることで、この張り合わせの線に沿って切ることができる。ミシン目を更に設けることもある。
【００２２】
しかし、色味や素材の異なる包装シートの一部が見えてしまうことで、購入者は、ごみが付着しているような違和感を覚えてしまい、商品の販売力が下がってしまう問題がある。
【００２３】
（方式５：一部切れ込み）
また、包装シートの一部に、線状や曲線状などの切れ込みが入れられる場合がある。この切れ込みを用いることで、購入者は、包装シートをはがすことができる。
【００２４】
しかし、切れ込みの大きさや形状によっては、購入者が購入する前の配送や陳列の作業段階で包装シートが破れてしまうこともある。また、切れ込みが大きすぎると、配送や陳列の段階で、商品そのものに汚れが付着するなどして、商品の保護との目的を達成できなくなる可能性もある。
【００２５】
また、切れ込みの形成の際に、加工性の悪さで切れ込みやその周辺が汚い見た目になってしまうこともある。この場合には、商品価値が下がることにもなってしまいかねない。
【００２６】
このような方式１〜５を中心として、包装シートについていくつかの技術が提案されている（例えば、特許文献１〜６参照）。
【先行技術文献】
【特許文献】
【００２７】
【特許文献１】特開平６−１７１６６９号公報
【特許文献２】実開２００３−６３５３７号公報
【特許文献３】特開２００３−３１１８５９号公報
【特許文献４】特開２００５−１９３９５３号公報
【特許文献５】特開２００６−４４７９６号公報
【特許文献６】特開２０１４−５４９９７号公報
【発明の概要】
【発明が解決しようとする課題】
【００２８】
特許文献１は、食品のバーに対する本包装は二つの層よりなり、一つの層はバーの片側と実質的に平行な刻み目を有する包装材料であり、該包装材料の外面に、２列の弱体化された複数の線を有する剥離自在な被覆フイルムが、刻み目の両側において、この刻み目と平行するように密封的に装着される包装を開示する。
【００２９】
特許文献１は、図にあるように刻み目をつけることで、この刻み目を開くようにして包装を裂くことを目的としている。
【００３０】
しかしながら、特許文献１は、刻み目の場所からのみしか裂けないことに起因する製造問題、使用不便などの問題を有している。上述の方式５や方式４と同じような問題を有している。
【００３１】
特許文献２は、周縁熱接着部で密封した内層に熱接着性樹脂層を有する包装袋であって、周縁熱接着部の外縁から包装袋を開封するための直線状の切目線が内層以外の少なくとも一層に設けられ、周縁熱接着部に切目線を包含して周縁熱接着部の外縁から内側に掛けて包装袋を貫通する複数の微細な突刺し孔からなる傷痕群領域が設けられると共に周縁熱接着部に周縁熱接着部の外縁側から内側に切目線に向かって先細りとなる二条の案内手段がその外縁側両端部が傷痕群領域を挟むように設けられていることを特徴とする包装袋、を開示する。
【００３２】
特許文献２は、切れ目を複数層の包装袋に適用することを目的としており、方式５と同じ問題を有している。もちろん、裂ける場所が限定されてしまい、使い勝手が悪いとの問題も有している。
【００３３】
特許文献３は、基材１１と、該基材１１上に形成された中間層１２と、該中間層１２上に形成されたシーラント層１３とを有する易切裂性フィルム１ａであって、中間層１２には、多数の貫通孔１４および／または非貫通孔が形成された易切裂性フィルム１ａである。このような易切裂性フィルム１ａは、基材１１と中間層１２とを積層する第１ラミネート工程と、該第１ラミネート工程後に、中間層１２に貫通孔１４および／または非貫通孔を形成する孔形成工程と、該孔形成工程後に、中間層１２における基材１１が積層されていない側の面に、シーラント層１３を積層する第２ラミネート工程により製造できるフィルムを開示する。
【００３４】
特許文献３は、複数積層のフィルムにおいて、内部フィルムに孔を設けて、外部フィルムで覆う構造を開示します。この構造によって、密封性と裂きやすさとを両立する技術を実現しています。しかし、フィルムを複数層構造にする必要があり、一般的な商品の包装シートとして使用するにはコストが高すぎる問題を有している。また、表層のフィルムは、切れ込みなどがないので、購入者が手作業で開封することは難しい。
【００３５】
特許文献４は、袋の上部に上端縁２と平行なヒートシール線３を有するプラスチックフィルム袋１において、袋の上端縁２とヒートシール線３の間に線状の切れ目４を設け、線状の切れ目４の上下両方向に、裂け目誘導用の複数個の小孔の列５を形成してなることを特徴とする易開封袋を開示する。
【００３６】
しかし、特許文献４では、切れ目であり、方式１のミシン目と同じ問題を有している。実際に切れ目や孔が設けられても、購入者が手作業で上手に開封することが難しい問題を有している。切れ目や孔が切断されてつながっていきにくいからである。
【００３７】
特許文献５は、被包装物を収容する収容部１４と、この収容部を閉じるシール部１２とを備える包装袋１０において、シール部の幅方向の中間部であって、シール部の外縁から所定の距離Ｄ１を置いた位置に、脆弱部分として小孔１６を形成したことを特徴としている。この構成においては、脆弱部分がシール部の外縁から離れた位置に形成されるため、シール部を引き裂くには相当の力を要する。その一方で、シール部を折り曲げて、その折り線上に脆弱部分が配置されるようにすることで、そこを起点として容易に包装袋を引き裂くことが可能となり、開封に２段階の動作を必要とし、乳幼児難開封性を有する包装袋を開示する。
【００３８】
しかしながら、特許文献３，４と同じく、実際の手作業での開封が困難である問題を有している。加えて、製造工程と製造コストを増加させる問題がある。
【００３９】
特許文献６は、フィルム包装体１０Ａ、１０Ｂに食品Ｎが収容されている食品パッケージ１Ａ、１Ｂであって、フィルム包装体１０Ａ、１０Ｂは、互いに対向する第１の面Ｐｕ、Ｐｂと第２の面Ｐｂ、Ｐｕとを備え、当該第１の面Ｐｕ、Ｐｂと第２の面Ｐｂ、Ｐｕのいずれか一方にのみ貫通Ｈ：Ｈａ、Ｈｂが１つ以上設けられている食品パッケージを開示する。
【００４０】
しかしながら特許文献６は、孔が並んでいるだけで、孔同士がつながりながら破れていくことは難しい問題を有している。実際に、ミシン目と同じく孔が並んでいても、購入者が手作業で開封することは難しい。孔のいずれかが破れても、孔同士の破れるのがつながりにくいからである。このため、購入者は、力加減を調整したり、何度も作業を繰り返したりすることで、初めて開封できるに過ぎない。
【００４１】
すなわち、購入者が手作業ですぐかつストレスなく開封することが難しい問題を有している。
【００４２】
以上のように、従来技術の方式１〜５およびこれらのいずれかもしくは組み合わせを用いるに過ぎない特許文献１〜６の従来技術では、包装シートを簡単かつ短時間でストレスなく開封することができない問題を有していた。もちろん、包装シートの製造コストや包装工程の作業コストを増加させる問題を有していた。
【００４３】
本発明は、これらの問題を解決し、配送時や陳列時の強度や耐久性を維持しつつも、購入者が、手作業で簡単かつストレスなく開封できる包装シートを提供することを目的とする。
【課題を解決するための手段】
【００４４】
上記課題に鑑み、本発明の包装シートは、物品を包装するフィルム状の包装シートであって、第１内径を有する複数の第１孔と、第１内径より小さな第２内径を有する複数の第２孔と、を備え、第１孔および第２孔は、包装シートのある形成線に沿って混在して設けられる。
【発明の効果】
【００４５】
本発明の包装シートは、異なる大きさの孔が並んでいることで、手作業で破る際に、裂けやすい孔と、裂けた孔同士が裂けた状態でつながっていくことにより、手作業で簡単に開封できる。
【００４６】
また、本発明の包装シートは、異なる大きさの孔が並んでいるだけであるので、ミシン目やテープのように外観を悪くすることもない。また、シールやテープを更に必要としないので、製造コストや包装コストを増加させることもない。
【００４７】
また、ミシン目や切れ込みのように、特定の方向に沿ってのみしか開封できないものでもなく、様々な方向に開封することができる。結果として、簡単に包装シートを破ることができる。一方で、ミシン目や切れ込みのように大きな空隙ではないので、配送や陳列段階で破損することも少なく、商品の保護や商品価値の維持との目的も達成できる。
【図面の簡単な説明】
【００４８】
【図１】本発明の実施の形態１における包装シートで包装された物品を示す斜視図である。
【図２】本発明の実施の形態１における包装シートのある面を示す模式図である。
【図３】本発明の実施の形態１における包装シートの模式図である。
【図４】本発明の実施の形態１における包装シートのバリエーション３の模式図である。
【図５】本発明の実施の形態１におけるバリエーション３の変形を示す模式図である。
【図６】本発明の実施の形態１における包装シートのバリエーション４の模式図である。
【図７】本発明の実施の形態１におけるバリエーション５を示す包装シートの模式図である。
【図８】本発明の実施の形態１におけるバリエーション６を示す包装シートの模式図である。
【図９】本発明の実施の形態１における物品を包装している包装シートの模式図である。
【図１０】本発明の実施の形態２における熱収縮前の包装シート素材と熱収縮後の包装シートとを比較できる模式図である。
【発明を実施するための形態】
【００４９】
本発明の第１の発明に係る包装シートは、物品を包装するフィルム状の包装シートであって、第１内径を有する複数の第１孔と、第１内径より小さな第２内径を有する複数の第２孔と、を備え、第１孔および第２孔は、包装シートのある形成線に沿って混在して設けられる。
【００５０】
この構成により、外観や強度を失わずに、手作業での圧力付与で、包装シートを簡単に破ることができる。
【００５１】
本発明の第２の発明に係る包装シートでは、第１の発明に加えて、第１孔および第２孔の少なくとも一方は、略円形もしくは略楕円形である。
【００５２】
この構成により、第１孔および第２孔の破れや破れ目の接続などが容易に生じ、包装シートが容易に開封できるメカニズムを生じさせる。
【００５３】
本発明の第３の発明に係る包装シートでは、第２の発明に加えて、第１内径および内径は、１０倍以上の差を有する。
【００５４】
この構成により、破れる孔と破れ目を受けて裂け目を広げる孔との役割分担が、実現される。
【００５５】
本発明の第４の発明に係る包装シートでは、第１から第３のいずれかの発明に加えて、形成線において、第１孔と第２孔とが、交互に並ぶ。
【００５６】
この構成により、製造が容易であるとともに、孔の破れと、裂け目の広がりとの連続性が高まるメリットが生じ、包装シートが破れやすくなる。
【００５７】
本発明の第５の発明に係る包装シートでは、第１から第４のいずれかの発明に加えて、形成線は、包装シートにおいて２次元的に複数設けられる。
【００５８】
この構成により、裂け目は一次元的だけでなく、二次元的にも広がって、包装シートが開封されやすくなる。
【００５９】
本発明の第６の発明に係る包装シートでは、第５の発明に加えて、複数の形成線は、略並列である。
【００６０】
この構成により、製造が容易であるとともに、開封メカニズムの発現が容易かつ確実となる。
【００６１】
本発明の第７の発明に係る包装シートでは、第５または第６の発明に加えて、複数の形成線は、物品において面積の広い面に対応する面に設けられる。
【００６２】
この構成により、購入者が、包装シートをより容易に開封しやすくなる。
【００６３】
本発明の第８の発明に係る包装シートでは、第５から第７のいずれかの発明に加えて、複数の形成線同士で対応させる場合には、第１孔と第２孔との位置が、異なる。
【００６４】
この構成により、二次元的な裂け目の広がりが、容易に実現できる。
【００６５】
本発明の第９の発明に係る包装シートでは、第１から第８のいずれかの発明に加えて、形成線において隣接する第１孔同士の間に、複数の第２孔が配置される。
【００６６】
この構成により、よりさまざまなバリエーションでの孔の破れや裂け目の広がりが実現でき、物品の特徴に合わせた包装シートの開封が可能となる。
【００６７】
本発明の第１０の発明に係る包装シートでは、第１から第９のいずれかの発明に加えて、第１孔および第２孔は、熱収縮前における長さの異なる切れ込みが、熱収縮によって形成される。
【００６８】
この構成により、製造が容易である。
【００６９】
本発明の第１１の発明に係る包装シートでは、第１から第１０のいずれかの発明に加えて、包装シートに力が加わると、第２孔が裂け、第２孔が裂けることによる裂け目が、第１孔に接続して、第１孔による開口が広がる。
【００７０】
この構成により、内径の異なる第１孔と第２孔のそれぞれの役割分担と役割接続によって、確実かつ容易に、包装シートが開封されやすくなる。
【００７１】
（実施の形態１）
【００７２】
実施の形態１について説明する。
【００７３】
（全体概要）
実施の形態１での包装シートの全体概要を説明する。図１は、本発明の実施の形態１における包装シートで包装された物品を示す斜視図である。物品２は、例えば書籍や商品を収納している箱である。物品２の外部（外周）に、密着するように、包装シート１が覆っている。なお、包装シート１は、包装材や包装フィルムとしての把握も可能である。
【００７４】
包装シート１は、透明、半透明などの素材であることが適当である。包装している物品２の中身を、購入者が判別できるからである。また、物品２は、書籍や雑誌などのむき出しの商品であることもあるし、商品を収納している箱であることもある。物品２の形状も立方体や直方体かこれを基礎とする形状であることが多いが、柱状であったり球形であったりすることもある。あるいは、複雑な形状を有することもあり得る。
【００７５】
このような形状の物品２の外周を密封するように包装するので、包装シート２は、樹脂、ビニールなどのフィルム状の素材であることが好適である。柔軟性と熱収縮性を有するこれらの素材であれば、包装シート素材を物品２の周囲に装着した後で、加熱によって熱収縮させて最終的に密着するように物品２を包装できるからである。
【００７６】
もちろん、包装シート１は、透明や半透明でなくてもよいし、物品２を説明する名称などの印刷が施されていてもよい。いずれにしても、包装シート１は、物品２の外周に密着するようにして物品２を覆う。包装シート１は、物品２を保護するとともに、いたずらや汚損などからの防止も行える。
【００７７】
図２は、本発明の実施の形態１における包装シートのある面を示す模式図である。包装シート１は、図１に示されるように、立体である物品２を包装することが多い。このため、包装シート１は、包装する物品２の形状に合わせた複数の面を有する。購入者は、この複数の面のいずれかの面に手や指先で圧力を付与して、包装シート１を破いて開封する。
【００７８】
図２は、この包装シート１が物品２を包装している場合のある面１１を示している。このため、図２の包装シート１は、平面状態で示されているが、実際には、包装シート１は、図１に示されるように物品２の立体形状に合わせた外形を有している。
【００７９】
包装シート１は、ある形成線３が仮定される。形成線３は、仮想の線であり、明確に包装シート１に形成されたり明示されたりするものではない。また、形成線３は、直線でも曲線でも、湾曲や屈曲を含む形態の線として仮想されてもよい。いずれにしても、形成線３は、第１孔４と第２孔５とが形成される仮想での線（第１孔４と第２孔５とがつながっていく経路とみなしてもよい）である。
【００８０】
形成線３に沿って、複数の第１孔４と第２孔５とが形成されている。第１孔４は、ある大きさである第１内径を有している。第２孔５は、第１内径よりも小さな大きさである第２内径を有している。このように、内径の異なる複数の第１孔４と第２孔５とが、形成線３に沿って混在して設けられる。
【００８１】
なお、図２では、図の見易さのために、第１孔４のすべてに符号を付していないが、図の状態で第１孔４と同じ要素と認識されるものは第１孔である。同様に、図の状態で第２孔５と同じ要素と認識されるものは、第２孔である。また、図２では、隣接する一組の第１孔を、第１孔４Ａ、第１孔４Ｂとして示している。
【００８２】
包装シート１は、このように内径の異なる第１孔４と第２孔５とが混在して連続して設けられている。この構成により、購入者などが包装シート１の面１１に手や指で圧力を加えると、内径の小さい第２孔５が破れる。内径が小さいために、圧力を集中的に受けて、破れやすいからである。
【００８３】
この第２孔５には、隣接して内径の大きな第１孔４が設けられている。第１孔４は、第２孔５よりも大きな内径である第２内径を有している。このため、第２孔５が破れて生じる裂け目を受けやすい。第１孔４が、裂け目を受けると、第１孔４もそのまま破れる。第１孔４が破れれば、そのままその破れた範囲が大きくなる。
【００８４】
第１孔４および第２孔５は、それぞれ複数が混在して設けられているので、圧力がかかった場所の付近で、同じような状況が並行してあるいは繰り返して、複数の場所で生じる。この結果、第１孔４も第２孔５も破れて裂け目がつながり、結果的に、指先でこするような圧力を付与するだけで、この形成線３に沿って、包装シート１が破れる。
【００８５】
図２では、包装シート１の面１１の形成線３に沿って破れる。この破れ方によって、結果的には、図１のような物品２を包装している包装シート１が、ある部分から破れることになって開封できるようになる。
【００８６】
実施の形態１の包装シート１は、内径の大きな第１孔４と内径の小さな第２孔５とが、複数存在しつつ混在する並びを有することで、第１孔４と第２孔５とが、それぞれの特徴を生じさせる。それぞれの特徴が結びつくことで、小さな力で敗れが生じ、破れが簡単につながり、つながった破れが裂け目となる。このようなメカニズムで、シート１の面１１を、購入者が手や指でこすったりつまんだりする圧力を付与するだけで、簡単に開封される。
【００８７】
もちろん、ミシン目や切れ目と異なり、第１孔４と第２孔５との配列だけなので、配送や陳列の際には、破れにくい。もちろん、保護としての機能も高い。すなわち、保護と開封との両立を実現できる。
【００８８】
（各部の詳細）
ここで、第１孔４は、第１内径を有する。第２孔５は、第１内径より小さい第２内径を有する。第１孔４および第２孔５の少なくとも一方は、略円形もしくは略楕円形であることも好適である。ここで、略円形もしくは略楕円形であるが、物理的に厳密な形状であることが求められるのではなく、外観上、略円形や略楕円形に見える程度で十分である。このため、外観上、略方形や略方形と略円形とが混在したような形状であってもよい。
【００８９】
また、第１孔４および第２孔５の少なくとも一方は、包装シート１に空いた貫通孔であるが、その孔の外縁が不定形であったり、湾曲や屈曲部分を含んでいたりしてもよい。いわゆるがたがた形状の外縁でもよい。
【００９０】
例えば、第１孔４や第２孔５がななめ部分を有する形状（略菱形など）を有していてもよい。この場合には、第１孔４や第２孔５の破れや広がりが更に多方向に広がるので、二次元的な包装シート１の開封が容易となる。
【００９１】
また、第１内径は、第２内径よりも大きいが、一例として、第１内径が第２内径の１０倍以上であってもよい。もちろん、１０倍以上ではなく、５倍以上程度でもよい。例えば、第１内径が２ｍｍ程度であり、第２内径が０．２ｍｍ程度であってもよい。
【００９２】
このような第１内径と第２内径との差が一定以上であることで、第１孔４と第２孔５のそれぞれの役割と機能の発揮が十分となり、上述した開封のメカニズムが働きやすくなる。
【００９３】
一定以上の差を有する第１内径と第２内径との差分によって、第２孔５は、破れて裂け目を生じさせ、第１孔５は、この裂け目を受け受けやすくなって、裂け目を広げていきやすくなる。結果として、形成線３を基準とした裂け目が簡単に広がって、包装シート１が容易に開封される。特に、第１内径と第２内径とが極端に大きさが異なることは、このメカニズムを更に容易に発生させることができる。
【００９４】
（第１孔と第２孔の配置バリエーション）
次に、第１孔４と第２孔５の配置等のバリエーションについて説明する。
【００９５】
（バリエーション１：交互配置）  
図２のように、形成線３において、第１孔４と第２孔５とが交互に配置されることもよい。特に、一つの第１孔４と一つの第２孔５とが、交互に配置される。図２では、一対の第１孔４Ａと第１孔４Ｂとの間に、一つの第２孔５が設けられている。
【００９６】
形成線３の他の場所でも同様の第１孔４と第２孔５の配置状態である。
【００９７】
このような一つずつの第１孔４と第２孔５とが交互に配置されることで、製造が容易であるメリットがある。また、内径の小さな第２孔５がまず破れて、その破れ目が内径の大きな第１孔４によって受けられて、次第に裂け目が広がっていく、という包装シート１の開封メカニズムが働きやすいメリットもある。
【００９８】
なお、図２では、第１孔４Ａと第２孔４Ｂとの間の略中央くらいに、第２孔５が設けられている。第２孔５がこのような略中央に近い位置に設けられることで、第２孔５が破れた場合に、破れ目が、双方向の第１孔４Ａ，４Ｂのいずれにも℃レベルで接続しやすいメリットがある。このメリットによって、包装シート１に加えられる圧力の下限が様々でも、包装シート１が破れやすくなる。
【００９９】
もちろん、略中央付近に限定される必要はなく、第２孔５は、第１孔４Ａ，４Ｂの間において、いずれかに偏った位置に設けられてもよい。
【０１００】
（バリエーション２：第２孔の多数化）
図３は、本発明の実施の形態１における包装シートの模式図である。図２と同様に、包装シート１のある面１１のみを示している。
【０１０１】
包装シート１は、第１孔４と第２孔５とを、形成線３に沿って有している。図２と異なり、一対の第１孔４Ａと第１孔４Ｂとの間（ほかの一対の間も同様）に、複数の第２孔５が設けられている。図３では、例示として第１孔４同士の間に、３つの第２孔５が設けられている。
【０１０２】
このように、第２孔５が複数設けられて、第１孔４と第２孔５とが繰り返される構成でもよい。この場合には、人力の圧力の付与で最初に破れる第２孔５の数が多いことで、破れ目が生じやすいメリットがある。破れ目が生じやすかったり、あるいは、生じる場所が多かったりすることで、やはり包装シート１が開封しやすいメリットがある。
【０１０３】
また、内径の小さな第２内径の第２孔５の数が、相対的に第１孔４の数よりも多いので、包装シート１の貫通面積が減少して、包装シート１の密封性が高まるメリットもある。例えば、水分などによる耐久性が高くなる。
【０１０４】
ここでは、第２孔５が３個である場合を示したが、複数であれば、３以外の数でもよい。また、一対の第１孔４同士の間に設けられる第２孔５の数は、第１孔４同士の間のそれぞれによって異なってもよい。例えば、ある一対の第１孔４の間には、３個の第２孔５が設けられ、他の一対の第１孔４の間には、２個の第２孔５が設けられてもよい。
【０１０５】
第２孔５の数がアンバランスとなることで、人力による圧力付与に対して、包装シート１は、様々な反応を示し、いずれかの場所から破れ目が生じるといったメリットが生じることもある。この場合には、いずれかからの場所で破れ目が生じて、包装シート１の開封をさまざまな点から実現できるメリットがある。
【０１０６】
（バリエーション３：第１孔が複数）
図４は、本発明の実施の形態１における包装シートのバリエーション３の模式図である。図４も、包装シート１のある面１１の状態を示している。
【０１０７】
図４では、包装シート１は、形成線３に沿って、第１孔４が複数並んで、その間に単数の第２孔５が設けられている形態を有している。すなわち、形成線３に沿っては、第１孔４が第２孔５よりも、相対的に数が多い態様である。
【０１０８】
第１孔４の相対的な数が多いことで、第２孔５で発生する破れ目を、多数の第１孔４が、広くさまざまな場所で受けやすい。
【０１０９】
バリエーション１〜３のいずれも同様であるが、後述するように、形成線３は、包装シート１に並ぶように複数設けられてもよい。この場合には、二次元的に、第２孔５からの破れ目を、多くの第１孔４が受けることができる。第１孔４が、破れ目を受けることができれば、当然に包装シート１が開封しやすくなる。
【０１１０】
第１孔４は、第２孔５が一つである場合に、その間に複数の第１孔４が設けられてもよい。あるいは、第１孔４および第２孔５のそれぞれが複数ずつ並んでもよい。
【０１１１】
バリエーション２の場合と同じく、第１孔４の個数は、形成線３の位置において、同一数であってもよいし、異なる数であってもよい。いずれにしても、一対の第２孔５を基準とした場合に、第１孔４が複数設けられることで、第１孔４による破れ目の受けの確率向上と、破れ目が広がりやすくなることで、包装シート１は、人力によって簡単に破ることができる。
【０１１２】
第２孔４を基準とする場合に、第１孔４が複数であることで、破れ目を広げやすくなることで、包装シート１が開封しやすくなるメリットが生じる。
【０１１３】
なお、バリエーション２とバリエーション３とが、組み合わされてもよい。また形成線３において、バリエーション２が現れる場所とバリエーション３が現れる場所とが、混在してもよい。
【０１１４】
例えば、図５は、バリエーション２とバリエーション３とが混在している状態である。複数の第１孔４と複数の第２孔５とが繰り返されて形成線３に設けられている状態が、図５に示されている。図５は、本発明の実施の形態１におけるバリエーション３の変形を示す模式図である。
【０１１５】
このような第１孔４と第２孔５との形成によって、破れ目の発生を優先するのか、破れ目の拡大を優先するのかを、適宜切り分けて決定できる。この切り分けにより、包装シート１の素材、厚み、大きさ、形状や包装する物品２の特性に応じた、開封の容易性を実現できる。
【０１１６】
もちろん、後述するように、二次元的に形成線３が設けられる場合には、複数の形成線３によって、バリエーション１、バリエーション２、バリエーション３のそれぞれが異なって設けられてもよい。
【０１１７】
（バリエーション４：形成線の複数化）
図６は、本発明の実施の形態１における包装シートのバリエーション４の模式図である。
【０１１８】
バリエーション４は、包装シート１において（包装シート１のある面１１において）、複数の形成線３が設けられる態様である。図６では、形成線３Ａ、３Ｂ、３Ｃのそれぞれが設けられている。
【０１１９】
すなわち、形成線３が、二次元的に設けられる。ここで、図６のように、複数の形成線３Ａ，３Ｂ、３Ｃは、略平行であってもよい。これは製造上の容易性を考慮してである。もちろん、非平行でもよく、製造上の都合や製造後の包装工程での都合で決定されればよい。
【０１２０】
図６では、図示の見易さのため、３つの形成線３Ａ，３Ｂ，３Ｃが設けられている。３つの形成線３Ａ，３Ｂ、３Ｃのすべてが、第１孔４と第２孔５とを混在させて有している。図６では、この第１孔４と第２孔５との混在の並びが、それぞれで略同一である。
【０１２１】
製造上の容易性からは、このような第１孔４と第２孔５との混在の並びが、複数の形成線３のそれぞれで、略同一であることでもよい。また、略同一の並びをしていることで、人力により加えられる圧力によって、それぞれの場所が同様の動きをするので、開封メカニズムが適正にはかられやすいメリットもある。
【０１２２】
（バリエーション５：複数の形成線その２）
図７は、本発明の実施の形態１におけるバリエーション５を示す包装シートの模式図である。  
【０１２３】
バリエーション５においても、包装シート１は、複数の形成線３を二次元的に有している。図７に示されるバリエーション５は、図６に示されるバリエーション４と異なり、複数の形成線３のそれぞれは、異なる第１孔４と第２孔５との配置を有している。すなわち、バリエーション１〜３のそれぞれが、複数の形成線３Ａ〜３Ｃのそれぞれに表れている状態である。
【０１２４】
このように、複数の形成線３Ａ〜３Ｃのそれぞれでの第１孔４と第２孔５の配置が異なることで、人力による圧力が加わった時に、様々な反応を包装シート１が示すことができる。
【０１２５】
このさまざまな反応によって、包装シート１は、簡単に開封できるようになる。例えば、ある部分では、第２孔５が破れて、他の形成線３の第１孔４につながったり、第１孔４での破れ目の広がりが、他の形成線３の第１孔４につながったりして、破れ目の発生や広がりが二次元的となる。沢には、破れ目の発生も広がりのいずれも、二次元的かつさまざまな方向に向けて生じる。
【０１２６】
このような様々な方向への発生と広がりによって、包装シート１も破れやすくなる。特に、二次元的に破ることが可能となるので、包装シート１が簡単に破れて開封されるようになる。
【０１２７】
（バリエーション６：二次元方向での互い違い）
図８は、本発明の実施の形態１におけるバリエーション６を示す包装シートの模式図である。
【０１２８】
バリエーション６も、バリエーション５と同様に、複数の形成線３が二次元的に設けられている。
【０１２９】
このとき、形成線３Ａと形成線３Ｂ同士で対応させる場合に、第１孔４と第２孔５とが、互い違いに異なっている状態が、バリエーション６である。図８から明らかなとおり、シート１の面１１の縦方向でみると、同列にそって、第１孔４、第２孔５、第１孔４の順序で並んでいる。ほかの場所でも同様である。
【０１３０】
バリエーション６の場合には、二次元方向の横方向であっても縦方向であっても、第１孔４と第２孔５とが互い違いに並んでいる。第２孔５は、圧力によって破れ始める。第１孔４は、第２孔５で発生した破れ目を受けて、広げる。もちろん、その逆もあり得る。
【０１３１】
この第１孔４と第２孔５との役割分担が二次元の双方であったり、二次元を斜めに結ぶ線上であったりする領域において生じる。この結果、包装シート１の開封が更に容易となるメリットがある。
【０１３２】
もちろん、バリエーション６の形態は、更により複雑なバリエーションでの第１孔４と第２孔５との配置を有してもよい。この場合には、更に開封が容易となりうる。
【０１３３】
なお、図２〜図８で記載している第１孔４および第２孔５は、理解のために図示される大きさで記載しているが、実際には、包装シート１に対してもっと小さい。一例であるが、第１孔４の第１内径は、直径換算で２ｍｍ程度であり、第２孔５の第２内径は、直径換算で０．２ｍｍ程度である。もちろん、この大きさに限定されるものではない。ただし、物品２を保護するために第１孔４や第２孔５は、微細なものである。
【０１３４】
（第１孔などの設けられる面）
図２〜図８は、包装シート１の面１１において設けられる第１孔４や第２孔５を示している。
【０１３５】
図１に示されるように、包装シート１は、立体形状を有する物品２の外周を密着するように保護して覆うものである。このため、包装シート１は、面１１以外の様々な面を、物品２の形状に応じて有する。
【０１３６】
図２〜図８では、説明の便宜のために、包装シート１のある面１１にのみ着目して第１孔４や第２孔５を示している。
【０１３７】
ここで、第１孔４や第２孔５が形成される形成線３は、包装シート１の全面に形成されてもよいし、一部の面あるいは一部の領域にのみ形成されてもよい。言い換えれば、第１孔４や第２孔５は、包装シート１の全面に形成されてもよいし、一部の面あるいは一部の領域にのみ形成されてもよい。
【０１３８】
図９は、本発明の実施の形態１における物品を包装している包装シートの模式図である。図１と同様に、物品２を包装シート１が覆っている。すなわち、包装シート１は、物品２の形状に応じて、複数の面を有する。
【０１３９】
ここで、第１孔４や第２孔５を有する形成線３は、物品２にいて面積の広い面に対応する包装シート１の面に形成されることも好適である。図９においては、面１１である。面１１は、立体である物品２の広い面積に対応する面である。購入者は、狭い面１２などに指や手で圧力を加えて包装シート１を開封しようとするよりも、面積の広い面１１に圧力を加えて開封しようとすることが多い。
【０１４０】
さらには、包装シート１は、大きなフィルム素材などの包装シート素材を切断して物品２の外周に取り付けて熱収縮させて包装を実現する製造工程を経る。これを考慮しても、面積の広い面に対応する面に、形成線３（第１孔４や第２孔５）が形成されることが適当である。
【０１４１】
図９では、図の見易さのために、第１孔４などを示していないが、面１１に設けられることが適当である。
【０１４２】
以上、実施の形態１における包装シート１は、内径の大きく異なる第１孔４と第２孔５が、一次元的にもしくは二次元的に形成されることで、保護や耐久性を維持しつつも（あるいは外観の維持）、購入者が手作業で簡単かつストレスなく開封できる。また、開封時に、包装している物品を傷つけることもない。
【０１４３】
また、一次元的な裂け目の広がりや、二次元的な裂け目の広がりが混在して生じたり、それぞれがそれぞれを誘発したりできるので、物品２の形状が複雑であったり、包装シート１のすべり性が高い場合でも、包装シート１が開封しにくいことも少なくなる。
【０１４４】
（実施の形態２）
【０１４５】
次に、実施の形態２について説明する。
【０１４６】
実施の形態２では、包装シート１の製造工程について説明する。
【０１４７】
実施の形態１で説明した包装シート１は、物品２を包装した後の状態を示している。すなわち、フィルム状の部材で物品２の外周を覆って、加熱による熱収縮で、物品２に密着するように包装している状態である。
【０１４８】
包装シート１の製造には、包装シート１の素材である包装シート素材がまず準備される。包装シート素材は、樹脂やビニールなどの柔軟性と熱収縮性を有する素材であることが好ましい。
【０１４９】
図１０は、本発明の実施の形態２における熱収縮前の包装シート素材と熱収縮後の包装シートとを比較できる模式図である。
【０１５０】
図１０の左上に、熱収縮前の包装シート素材１００が示されている。図１０の右下に、熱収縮後の包装シート素材１が示されている。
【０１５１】
熱収縮前の包装シート素材１００においては、長さの長い第１切れ込み１０２と、長さの短い切れ込み１０３とが設けられている。いずれも、線状の切れ込みであり、円形や楕円形などの形状ではない。
【０１５２】
熱収縮前においては、この第１切れ込み１０２と第２切れ込み１０３とが、包装シート素材１００に形成される。また、第１切れ込み１０２と第２切れ込み１０３とが交互となったり、複数で並んだりするように配置される。この配置が、図３〜などで説明した各バリエーションに合わせて決定される。
【０１５３】
包装シート素材１００は、この第１切れ込み１０２と第２切れ込み１０３とが形成された後で、加熱による熱収縮を受ける。熱収縮すると、第１切れ込み１０２は、第１孔４になる。第２切れ込み１０３は、第２孔５になる。
【０１５４】
こうして、第１孔４と第２孔５とが混在する包装シート１が、容易に製造できる。もちろん、第１切れ込み１０２と第２切れ込み１０３の大きさ、配置、数などをさまざまに制御することで、得られる包装シート１の第１孔４および第２孔５の大きさ、配置、数などのパラメータも決定できる。
【０１５５】
切れ込み１０２、１０３は、切断部材で簡単に形成できる。大きさ、配置、数も同様である。これを熱収縮すれば、図１０の右下のような開口した第１孔４と第２孔５とが形成できる。このため、実施の形態１で説明した包装シート１の製造コストは低くできる。
【０１５６】
結果として、実施の形態１の包装シート１の普及が進み、様々な用途での使用が可能となる。
【０１５７】
以上、実施の形態１〜２で説明された包装シートは、本発明の趣旨を説明する一例であり、本発明の趣旨を逸脱しない範囲での変形や改造を含む。
【符号の説明】
【０１５８】
１    包装シート
１１    面
２    物品
３    形成線
４    第１孔
５    第２孔
１００    包装シート素材
１０２    第１切れ込み
１０３    第２切れ込み
【図１】
2015229504.tif 000003
【図２】
2015229504.tif 000004
【図３】
2015229504.tif 000005
【図４】
2015229504.tif 000006
【図５】
2015229504.tif 000007
【図６】
2015229504.tif 000008
【図７】
2015229504.tif 000009
【図８】
2015229504.tif 000010
【図９】
2015229504.tif 000011
【図１０】
2015229504.tif 000012